(57)【要約】【課題】ユーザの操作性を低下させることなく、ドアスイッチ閉時の突入電流による誤動作を防止可能な直流電源装置及び画像形成装置を提供することを目的としたものである。【解決手段】上記課題は、直流電源出力手段及び負荷の駆動の制御を行う制御部と、前記制御部及び前記負荷へ電力を供給し、直流電源出力部に電圧平滑用コンデンサを付加した直流電源出力手段と、前記コンデンサの少なくとも１つの下流側に接続され、前記直流電源出力手段の前記負荷の少なくとも１つへの電力の供給を遮断または通電する直流電源遮断手段を備え、前記直流電源遮断手段による前記負荷への電力の供給の遮断または通電を検知して、この検知信号に基づいて前記制御部から出力される放電出力制御信号により、前記コンデンサの電荷を放電または充電する放電手段を備えた直流電源装置とすることによって達成できる。【選択図】図２
2007052343.tif 000002
【特許請求の範囲】
【請求項１】
制御部と直流電源出力手段と直流電源遮断手段とを有する直流電源装置において、
前記制御部は、前記直流電源出力手段の制御及び負荷の駆動の制御を行い、
前記直流電源出力手段は、前記制御部及び前記負荷へ電力を供給し、当該直流電源出力手段の直流電源出力部に電圧平滑用コンデンサを有し、
前記直流電源遮断手段は、前記コンデンサの少なくとも１つの下流側に接続されて、前記直流電源出力手段の前記負荷の少なくとも１つへの電力の供給を遮断または通電し、
前記直流電源遮断手段による前記負荷への電力の供給の遮断または通電を検知して、この検知信号に基づいて前記制御部から出力される放電出力制御信号により前記コンデンサの電荷を放電または充電する放電手段を備えたことを特徴とする直流電源装置。
【請求項２】
請求項１の直流電源装置において、
前記直流電源遮断手段が遮断状態である場合には、前記コンデンサが放電状態となるように前記放電手段を前記放電制御信号によって制御することを特徴とする直流電源装置。
【請求項３】
請求項１または２記載の直流電源装置において、
前記直流電源出力部の前記コンデンサの上流側に、前記直流電源出力部から出力される直流電源出力電圧を検出する直流電源出力電圧検出手段を有することを特徴とする直流電源装置。
【請求項４】
請求項３の直流電源装置において、
前記直流電源出力電圧が予め定められた規定値未満であることを前記直流電源出力電圧検出手段が検出した場合には、前記放電制御信号の状態によらず前記放電手段を非放電状態とすることを特徴とする直流電源装置。
【請求項５】
請求項１ないし４のいずれか１項記載の直流電源装置を備えたことを特徴とする画像形成装置。
【請求項６】
請求項５記載の画像形成装置において、
前記直流電源遮断手段は、前記画像形成装置の記録材搬送手段を外部から遮蔽する開閉可能なドアに取り付けられ、前記ドアを開いたときに前記直流電源出力部から前記制御部及び画像形成装置の負荷への直流電源出力の供給を遮断し、前記ドアを閉じたときに前記直流電源出力の供給を通電することを特徴とする画像形成装置。
【発明の詳細な説明】
【技術分野】
【０００１】
本発明は、直流電源装置及び画像形成装置に係り、特に、突入電流防止機能を備えた直流電源装置及び画像形成装置に関する。
【背景技術】
【０００２】
一般的な複写機等の画像形成装置においては、感光体ドラム、該感光体ドラムに潜像を形成する半導体レーザ、記録材を給紙カセットから感光体ドラム及び記録材排出部に搬送するために多数の搬送ローラ等を主として構成された記録材搬送系、前記感光体ドラム及び搬送ローラを回転等させるための駆動源等の各種要素が備えられている。これらの要素に装置使用者（以下ユーザという）が直接接触しないように、常態において、閉状態とされる開閉自在のドアが備えられている。このドアは、前記記録材搬送系において、記録材の搬送が滞った場合、つまり、紙詰まり等が生じた場合等には、ユーザによって開状態とすることが可能であり、その詰まった記録材を除去する等の処理を実行することが可能となっている。
【０００３】
この際、ユーザの安全確保のため、一部駆動系電源はドアに取り付けられたスイッチで遮断される構成が取られ、紙詰まり処理等の操作をユーザが行っているときに、意図せずにモーター等が動作し、ユーザに怪我を負わせることがないような措置が取られている。
【０００４】
このような構成とすることの反作用として、ドアスイッチ閉時の突入電流の発生がある。即ち、駆動系電源には、制御基板や制御回路付きモータ等に複数の電圧平滑用の大容量コンデンサが付加されており、ドア開状態でこれらのコンデンサが放電された後にドアを閉状態にすると極く短時間で各コンデンサへの充電が行われるため、非常に大きな充電電流（突入電流）が直流電源から流れる。このドアスイッチ閉時の突入電流により、直流電源の過電流保護回路が動作し、電源が落ちる（出力が遮断する）ことがあった。
【０００５】
この不具合を解決するため、ドアスイッチ開状態においては、一部駆動系電源を供給する系統の直流電源を遮断し、ドアスイッチ閉後には、直流電源出力を徐々に上昇させ、ドアスイッチ閉時のコンデンサ充電を比較的長い時間をかけて行い、突入電流の発生を抑制して、直流電源出力の遮断が発生することを防止することが提案されている。（例えば特許文献１）
【特許文献１】特開２００１−２７２８８５号公報
【発明の開示】
【発明が解決しようとする課題】
【０００６】
しかしながら、上述した特許文献１記載の方法では、ドアスイッチ閉となってから直流電源出力をオンするまでに、一定の待ち時間を設けているため、この待ち時間を直流電源出力部のコンデンサが十分放電される時間に設定すれば前述した誤動作を防止することが可能であるが、この場合、ユーザの待ち時間が長くなり、操作性が低下するという問題があった。
【０００７】
従来技術の問題点を明らかにするため、図５及び図６を用いて説明する。図５は、従来の画像形成装置の概略構成を示す図で、図６は、従来の画像形成装置におけるドアスイッチ開時の電源電圧低下の様子を示す図である。
【０００８】
一般的に、画像形成装置は、商用の交流電源１を使用し、この交流電源１を、メインスイッチ２を介して＋５Ｖ、＋２４Ｖ等の所定の電圧に降圧、整流して出力する直流電源出力手段（以下ＰＳＵという）３と、このＰＳＵ３から直流電源の供給を受け、種々の画像形成処理を制御するエンジン制御部４及びエンジン制御部４からの制御を受けて駆動されるモータ５及び制御回路付きモータ６ａ、６ｂ等の負荷とを備えている。前記ＰＳＵ３は、＋５Ｖの制御系電源と＋２４Ｖの負荷駆動系電源＋２４Ｖ＿１を出力する第１コンバータ７及び前記ドアの開閉によって作動するドアスイッチ９を介して前記モータ５及び制御回路付きモータ６ａ、６ｂ等の負荷に＋２４Ｖの直流（＋２４Ｖ＿２）を供給する第２コンバータ８を有している。
【０００９】
第２コンバータ８は、前記ドアの開閉状態を検知して前記ドアスイッチ９の開及び閉を検知する検知スイッチ１１からの信号に基づいてエンジン制御部４のＣＰＵ１０から出力される第２コンバータＯＮ／ＯＦＦ信号１３によって制御される。この第２コンバータＯＮ／ＯＦＦ信号１３のＯＮ信号によって、第２コンバータ８から＋２４Ｖの直流電圧が出力され、第２コンバータＯＮ／ＯＦＦ信号１３のＯＦＦ信号によって第２コンバータから＋２４Ｖの出力が停止されるようになっている。
【００１０】
前記モータ５は、エンジン制御部４のドライバ回路１４を通じて駆動され、このドライバ回路１４、第１コンバータ７、第２コンバータ８、制御回路付きモータ６ａ、６ｂには、大容量の電圧平滑用コンデンサ１２Ａ、１２Ｂ、１２Ｃが接続されている。
【００１１】
このような画像形成装置において、ユーザ操作によってドアスイッチ９が開状態となった場合、各々のコンデンサ１２Ａ、１２Ｂに貯まった電荷は何らかの経路から放電されていく。ドアスイッチ９の下流側のコンデンサ１２Ｂについては、ＣＰＵ１０、ドライバ回路１４あるいは駆動している冷却用ファン等の電流消費により比較的短時間で放電される（図６曲線Ａ参照）のに対して、ドアスイッチ９の上流側のＰＳＵ３の出力部のコンデンサ１２Ａには、放電経路がないため、比較的長時間かけて放電される（図６曲線Ｂ参照）。
【００１２】
前記特許文献１記載のように、ドアスイッチ９の開時に直流電源出力を停止して、その後のドアスイッチ９の閉時の突入電流（ドアスイッチ９の下流側のコンデンサ１２Ｂへの充電電流）を防止しようとした場合、ドアスイッチ９の開時間が十分長ければ、ドアスイッチ９の上流のコンデンサも十分に放電されるため、突入電流は発生しない。
【００１３】
しかし、ドアスイッチ９の開時間が短い場合、ドアスイッチ９の上流側のコンデンサ１２Ａの電荷は殆んど放電されず、かつドアスイッチ９の下流側のエンジン制御部４側のコンデンサ１２Ｂの電荷は殆んど放電されている状態が存在し、このときにドアスイッチ９を閉にして通電すると、上流側のコンデンサ１２Ａから下流側のコンデンサ１２Ｂへ大きな放電電流が流れる。
【００１４】
この時、直流電源動作は、オフの状態になっているため、直流電源の過電流保護回路が動作して電源が落ちる（出力が遮断される）ことはないが、ＰＳＵからエンジン制御部への電源供給路において、例えば、図５の＋５Ｖ電源と＋２４Ｖ＿２電源とが長い距離並行してハーネス接続されていると、これらのハーネス間誘導結合により＋５Ｖ電源が電圧降下してエンジン制御部４等の誤動作を引き起こす可能性がある。
【００１５】
本発明は、上述した従来技術における問題点を解決すべくなされたもので、ユーザの操作性を低下させることなく、ドアスイッチ閉時の突入電流による誤動作を防止することを目的としたものである。
【課題を解決するための手段】
【００１６】
上記目的を達成するために、本発明による第１の手段としては、制御部と直流電源出力手段と直流電源遮断手段とを有する直流電源装置において、前記制御部は、前記直流電源出力手段の制御及び負荷の駆動の制御を行い、前記直流電源出力手段は、前記制御部及び前記負荷へ電力を供給し、当該直流電源出力手段の直流電源出力部に電圧平滑用コンデンサを有し、前記直流電源遮断手段は、前記コンデンサの少なくとも１つの下流側に接続されて、前記直流電源出力手段の前記負荷の少なくとも１つへの電力の供給を遮断または通電し、前記直流電源遮断手段による前記負荷への電力の供給の遮断または通電を検知して、この検知信号に基づいて前記制御部から出力される放電出力制御信号により前記コンデンサの電荷を放電または充電する放電手段を備えたことを特徴とする直流電源装置としたものである。
【００１７】
本発明による第２の手段としては、前記第１の手段の直流電源装置において、前記直流電源遮断手段が遮断状態である場合には、前記コンデンサが放電状態となるように前記放電手段を前記放電制御信号によって制御することを特徴とする直流電源装置としたものである。
【００１８】
本発明による第３の手段としては、前記第１の手段または第２の手段記載の直流電源装置において、前記直流電源出力部の前記コンデンサの上流側に、前記直流電源出力部から出力される直流電源出力電圧を検出する直流電源出力電圧検出手段を有することを特徴とする直流電源装置としたものである。
【００１９】
本発明による第４の手段としては、前記第３の手段の直流電源装置において、
前記直流電源出力電圧が予め定められた規定値未満であることを前記直流電源出力電圧検出手段が検出した場合には、前記放電制御信号の状態によらず前記放電手段を非放電状態とすることを特徴とする直流電源装置としたものである。
【００２０】
本発明による第５の手段としては、前記第１の手段ないし第４の手段のいずれか１手段記載の直流電源装置を備えたことを特徴とする画像形成装置としたものである。
【００２１】
本発明による第６の手段としては、前記第５の手段記載の画像形成装置において、前記直流電源遮断手段は、前記画像形成装置の記録材搬送手段を外部から遮蔽する開閉可能なドアに取り付けられ、前記ドアを開いたときに前記直流電源出力部から前記制御部及び画像形成装置の負荷への直流電源出力の供給を遮断し、前記ドアを閉じたときに前記直流電源出力の供給を通電することを特徴とする画像形成装置としたものである。
【００２２】
なお、後述の実施形態においては、制御部はエンジン制御部４及びＣＰＵ１０、直流電源出力手段はＰＳＵ３、直流電源遮断手段はドアスイッチ９、負荷はモータ５及び制御回路付きモータ６ａ、６ｂ、直流電源出力部は第１コンバータ７の出力部１９ａ、１９ｂ及び第２コンバータ８の出力部１９ｃ、電圧平滑用コンデンサはコンデンサ１２Ａ、１２Ｂ、１２Ｃ、検知信号は検出用スイッチ１１から生成される信号、放電出力制御信号は第２コンバータＯＮ／ＯＦＦ信号１３、放電手段は抵抗１６、トランジスタ１７及び放電制御回路１５、直流電源出力電圧検出手段は出力電圧検出回路１８、ドアはドア２４として、それぞれ例示されている。
【発明の効果】
【００２３】
本発明によれば、前記第１の手段とすることにより、直流電源遮断手段の上流側に付加される電圧平滑用コンデンサに溜まった電荷を短時間で放電することが可能となり、ユーザの操作性を低下させることなく、突入電流による誤動作を防止することができる。
【発明を実施するための最良の形態】
【００２４】
以下、本発明に係わる画像形成装置の一実施形態を、図１〜図４に基づいて説明する。
【００２５】
図１は、本発明を適用できる画像形成装置の実施の形態を示す外観図で、図１において、操作部２２のパネル画面には、画像形成装置の様々な状態が表示され、例えば、画像形成装置の異常状態もこのパネル画面２２に表示され、パネル画面２２の表示を見ることで、ユーザやサービスマンが機器の状態を知ることができる。また、このパネル画面により画像形成装置に対する様々な設定と指令を与えるタッチパネル操作ができる。
【００２６】
この画像形成装置は、この他にコンタクトガラス２０、自動原稿送り装置２１、電源サブキー２３、ドア２４、給紙トレイ２５、メインスイッチ２、トナーカバー２６、フィニッシャ２７等を備えている。
【００２７】
ドア２４は、開閉自在に取り付けられ、その内側に、感光ドラム（図示せず）、紙等の記録材を給紙トレイ２５から前記感光ドラム及びフィニッシャ２７に搬送するための多数の搬送ローラ等を主体とした記録材搬送系が設置されており、紙詰まり等の事故が生じたときに、このドア２４を開いて事故の修理を行えるようになっている。
【００２８】
このドア２４には、このドア２４の開閉に伴って動作する後述するようなドアスイッチ９及びドアの開閉状態検出用の検出スイッチ１１が取り付けられ、ドア２４が閉状態では、ドアスイッチ９及び検出スイッチ１１が閉じられて通電状態となり、ドア２４が開状態では、ドアスイッチ９及び検出スイッチ１１が開かれて遮断状態となるように構成されている。
【００２９】
（第１の実施形態）
図２は、本発明による一実施形態の画像形成装置の電気的な主要部の構成を示すブロック図で、前述の従来例で示した図５で使用された要素と同じ要素については、同一符号を使用している。
【００３０】
商用の交流電源１は、メインスイッチ２を介してＰＳＵ３に供給され、ＰＳＵ３は、商用電源１を整流、降圧し、種々の画像形成処理等の制御を行うエンジン制御部４に供給される制御系直流電源＋５Ｖとモータ５等の負荷駆動系直流電源＋２４Ｖ＿１と＋２４Ｖ＿２とを生成する。
【００３１】
ＰＳＵ３には、第１コンバータ７と第２コンバータ８の２つのコンバータが存在し、第１コンバータ７は、メインスイッチ２が閉じられて商用電源１が供給されている期間は常時動作して、その出力部１９ａ及び１９ｂから＋５Ｖと＋２４Ｖ＿１を生成、出力し、エンジン制御部４に供給する。
【００３２】
第２コンバータ８は、メインスイッチ２を閉じて通電状態とし、且つ第２コンバータＯＮ／ＯＦＦ信号１３がＯＮ信号を発生している場合のみ動作し、その出力部１９ｃから＋２４Ｖ＿２を生成、出力する。
【００３３】
この第２コンバータ８の出力部１９ｃには、コンデンサ１２Ａの上流側で抵抗１６、トランジスタ１７、放電制御回路１５からなる放電回路が付加されている。画像形成装置のエンジン部の制御を行うエンジン制御部４のＣＰＵ１０から送給される第２コンバータＯＮ／ＯＦＦ信号１３のＯＦＦ信号によってトランジスタ１７がオンとなり、第２コンバータ８の出力部に接続された電圧平滑用コンデンサ１２Ａに溜まった電荷がコンデンサ１２Ａ、抵抗１６、トランジスタ１７の経路で放電される。一方、前記第２コンバータＯＮ／ＯＦＦ信号１３のＯＮ信号が放電制御回路１５に供給されたときには、前記トランジスタ１７はオフとなり、コンデンサ１２Ａに電荷が貯留される。
【００３４】
ＰＳＵ３が生成した＋５Ｖ、＋２４Ｖ＿１、＋２４Ｖ＿２の電源は、ハーネス接続によりＰＳＵ３からエンジン制御部４に供給され、＋２４Ｖ＿２の電源だけは、電源遮断用ドアスイッチ９を介してエンジン制御部４に供給される。これは、ユーザの安全確保を目的としたもので、ドア２４を開放して紙詰まり処理等の操作をユーザが行なっている時に、意図せずモータ等が動作し、ユーザに怪我を負わせることがないようにするため、ユーザ操作範囲内の負荷駆動電源、例えば、モータ５及び制御回路付きモータ６ａ、６ｂ駆動用の電源＋２４Ｖ＿２は、ドア２４の開放に伴ってドアスイッチ９が開となり、前記負荷への電源の供給が遮断される。
【００３５】
エンジン制御部４は、前記＋５Ｖを電源として動作して画像形成装置のエンジン部の制御を行なうエンジン制御用ＣＰＵ１０と、＋２４Ｖ＿１または＋２４Ｖ＿２を電源として動作し、画像形成装置内のファン、モータ等の負荷を駆動する負荷駆動部、例えばドライバ回路１４とで構成される。
【００３６】
エンジン制御用ＣＰＵ１０からの第２コンバータＯＮ／ＯＦＦ信号１３によってファン、モータ等の負荷が駆動され、ファン、モータ等の負荷の電源（＋２４Ｖ＿２）は、駆動信号と共にエンジン制御部４から供給される。
【００３７】
また、エンジン制御用ＣＰＵ１０には、ドアスイッチ９の開閉状態を検出するための開閉状態検出用検出スイッチ１１の開及び閉に伴い、それに応じた信号が入力され、この信号に基づき第２コンバータＯＮ／ＯＦＦ信号１３が生成、出力される。
【００３８】
ドアスイッチ９と前記検出スイッチ１１とは連動しており、画像形成装置のドア２４が開時には、ドアスイッチ９と検出スイッチ１１の双方共に開となり、画像形成装置のドア２４が閉時には、共に閉となるように構成されている。
【００３９】
次に、この画像形成装置の動作について説明すると、画像形成装置のドア２４が開かれてドアスイッチ９が開となったときに、ドアスイッチ９と連動するドアスイッチ９の開閉状態検出用検出スイッチ１１によって開信号を生成する。この開信号によってＣＰＵ１０から第２コンバータＯＮ／ＯＦＦ信号１３としてＯＦＦ信号が第２コンバータ８と放電制御回路１５に供給され、第２コンバータ８から＋２４Ｖ＿２の電源の供給を停止すると共に、放電制御回路１５からトランジスタ１７をオン動作させる信号がトランジスタ１７に供給されトランジスタ１７がオン状態となる。従って、第２コンバータ８の出力部１９ｃに付加された電圧平滑用コンデンサ１２Ａに溜まっていた電荷が抵抗１６及びトランジスタ１７を通じて放電される。
【００４０】
一方、画像形成装置のドア２４が閉じられると、ドアスイッチ９及び検出スイッチ１１とも閉となり、ＣＰＵ１０からＯＮ信号となる第２コンバータＯＮ／ＯＦＦ信号１３が第２コンバータ８及び放電制御回路１５に供給される。その結果、第２コンバータ８から＋２４Ｖ＿２の電源が出力され、エンジン制御部４に供給されると共に、放電制御回路１５は、前記第２コンバータＯＮ／ＯＦＦ信号１３のＯＮ信号を受けてトランジスタ１７をオフ状態とする信号が出力されてトランジスタ１７はオフとなり、前記コンデンサ１２Ａからの電荷の放電を停止し、非放電状態となる。
【００４１】
このように動作することで、ドアスイッチ９が短時間しか開状態とならなかった場合でも、ドアスイッチ９の上流側で付加されたコンデンサ１２Ａからドアスイッチ９の下流側のエンジン制御部４以降の＋２４Ｖ＿２の電源に付加されたコンデンサ１２Ｂへの放電電流（突入電流）を小さくし、電源ハーネス間誘導結合に起因する他電源の電圧低下による誤動作を防止することができる。
【００４２】
また、ドアスイッチ９の閉時からＰＳＵ３をオン状態にするまでに、一定の待ち時間を必要としないため、ドアスイッチ９の閉時のユーザの待ち時間を短縮しつつ、突入電流による誤動作等の不具合を防止することができる。
【００４３】
なお、本実施形態においては、ＰＳＵ３は、２個のコンバータを使用しているが、必要に応じて２個以上のコンバータとすることも可能であり、また、エンジン制御用ＣＰＵ１０から出力される第２コンバータＯＮ／ＯＦＦ信号１３は、第２コンバータ８には供給せず、放電制御回路１５にのみ供給して放電出力制御信号としてのみ使用することができるが、第２コンバータ８にも供給して第２コンバータ８からの直流電源出力を停止または供給を制御する直流電源出力制御信号としても使用することができる。この場合、本実施形態における第２コンバータ８のように１個のコンバータにのみ第２コンバータＯＮ／ＯＦＦ信号１３を供給する必要はなく、第１及び第２コンバータ７、８の双方に設けてもよく、また、それ以上のコンバータに設けてもよい。
【００４４】
また、本実施形態においては、直流電源出力制御信号に基づく放電制御信号によりその放電状態を制御する放電手段として、放電制御回路１５と抵抗１６とトランジスタ１７によって構成したが、このような構成に限らず、他の適宜のスイッチング手段を採用することができる。
【００４５】
さらに、本実施形態においては、制御部と直流電源出力手段と直流電源遮断手段とを有する直流電源装置を画像形成装置の電源装置として使用しているが、他の用途の直流電源装置として使用することができる。特に画像形成装置の直流電源装置として、本実施形態の直流電源装置を使用したときには、直流電源遮断手段が画像形成装置の記録材搬送手段を外部から遮蔽する開閉可能なドアに取り付けられ、前記ドアが開いたときに直流電源出力部から制御部及び画像形成装置の負荷への直流電源出力の供給を遮断し、ドアを閉じたときに前記直流電源出力の供給を通電するので、ユーザが紙詰まり等の故障を修理するため、画像形成装置のドアを開いても、確実にユーザの操作範囲内の負荷駆動電源の出力を遮断して、ユーザの怪我を未然に防止することができる。
【００４６】
（第２の実施形態）
次に、図３に基づき本発明による第２の実施形態について説明する。
【００４７】
図３は、本発明による他の実施形態の画像形成装置の電気的な主要部の構成を示すブロック図で、前記第１の実施形態を示す図２と基本構成は、同一であり、同じ要素については、同一符号が使用されている。
【００４８】
この実施形態においては、前記図２で示す第１の実施形態に対して、第２コンバータ８の出力部１９ｃのコンデンサ１２Ａの上流側に出力電圧検出回路１８が付加されており、この出力電圧検出回路１８は、第２コンバータ８の出力電圧を常時モニタし、規定値以上か規定値未満かを示す信号を放電制御回路１５に出力する。この出力電圧検出回路１８からの信号を受けて放電制御回路１５は、トランジスタ１７をオン状態またはオフ状態に設定する。ドアスイッチ９の開閉状態と出力電圧検出回路１８で検知される第２コンバータ８の出力電圧の状態とこれらの状態における放電制御回路１５によって作動されるトランジスタ１７の設定状態の関係を図４に示す。
【００４９】
この図４からトランジスタ１７は、ドアスイッチ９が開状態で、出力電圧が規定値以上のときにオン状態となり、コンデンサ１２Ａの電荷を放電することができ、ドアスイッチ９が開状態であっても出力電圧が規定値未満の場合には、図４の状態２で示すように、トランジスタ１７はオフ状態となっており、コンデンサ１２Ａからの電荷の放電を行なわず非放電状態となるように設定されている。
【００５０】
このように、＋２４Ｖ＿２の電源電圧（ＰＳＵ３の出力電圧）がある程度低く、その状態でドアスイッチ９を閉としてもＰＳＵ３の出力部のコンデンサ１２Ａの放電電流（突入電流）が問題とならないレベルである場合は、放電回路をオンさせないようにすることで、放電による無駄なエネルギー消費を防ぎ、省エネルギー性能をあげることができ、また、同時に、出力電圧の立ち上げ時間の短縮も可能となる。
【００５１】
また、本発明による第２の実施形態においては、直流電源出力部のコンデンサ１２Ａの上流側に、直流電源出力電圧を検出する直流電源出力電圧検出手段を付加しているので、ドアスイッチ開閉時のオン・オフ制御を前記直流電源出力電圧に応じた柔軟な制御を行うことができる。
【００５２】
さらに、本第２の実施形態においては、制御部と直流電源出力手段と直流電源遮断手段とを有する直流電源装置を画像形成装置の電源装置として使用しているが、他の用途の直流電源装置として使用することができる。特に画像形成装置の直流電源装置として、本実施形態の直流電源装置を使用したときには、直流電源遮断手段が画像形成装置の記録材搬送手段を外部から遮蔽する開閉可能なドアに取り付けられ、前記ドアが開いたときに直流電源出力部から制御部及び画像形成装置の負荷への直流電源出力の供給を遮断し、ドアを閉じたときに前記直流電源出力の供給を通電するので、ユーザが紙詰まり等の故障を修理するため、画像形成装置のドアを開いても、確実にユーザの操作範囲内の負荷駆動電源の出力を遮断して、ユーザの怪我を未然に防止することができる。
【図面の簡単な説明】
【００５３】
【図１】本発明を適用できる画像形成装置の実施の形態を示す外観図である。
【図２】本発明による第１の実施形態の画像形成装置の電気的な主要部の構成を示すブロック図である。
【図３】本発明による第２の実施形態の画像形成装置の電気的な主要部の構成を示すブロック図である。
【図４】本発明による第２の実施形態のドアスイッチ、出力電圧及びトランジスタの設定状態の関係を示す図である。
【図５】従来の画像形成装置の電気的な主要部の構成を示すブロック図である。
【図６】従来の画像形成装置の直流電源出力部に付加された電圧平滑用コンデンサのドアスイッチ開時の放電特性を示す図である。
【符号の説明】
【００５４】
３    ＰＳＵ
４    エンジン制御部
５    モータ
６ａ、６ｂ    制御回路付モータ
７    第１コンバータ
８    第２コンバータ
９    ドアスイッチ
１０    ＣＰＵ
１１    検出スイッチ
１２Ａ、１２Ｂ、１２Ｃ    コンデンサ
１３    第２コンバータＯＮ／ＯＦＦ信号
１５    放電制御回路
１６    抵抗
１７    トランジスタ
１８    出力電圧検出回路
２４    ドア
【図１】
2007052343.tif 000003
【図２】
2007052343.tif 000004
【図３】
2007052343.tif 000005
【図４】
2007052343.tif 000006
【図５】
2007052343.tif 000007
【図６】
2007052343.tif 000008